(57)【特許請求の範囲】
【請求項１】
被着者の腰部において下衣と上衣との間に介在させ、上記上衣の裾が上記下衣の腰裏からはみ出ることを防止するための裾はみ出し防止具であって、
上記下衣の腰裏に圧接される外側基板と、
上記上衣の裾に圧接される内側基板と、
上記外側基板の内側面と上記内側基板の外側面との間に介在し、上記外側基板と上記内側基板とを互いに弾性的に連結する弾性連結部材とを有し、
上記外側基板の外側面には、上記外側基板と上記下衣とが滑らないようにする外側滑り止め構造が設けられ、
上記内側基板の内側面には、上記内側基板と上記上衣とが滑らないようにする内側滑り止め構造が設けられ、
上記内側基板が上記外側基板に対して少なくとも上方へ弾性的に移動することができるよう構成されていることを特徴とする裾はみ出し防止具。
【請求項２】
請求項１において、上記弾性連結部材は複数設けてあり、該複数の弾性連結部材のうちの一部は、上記外側基板と上記内側基板との間隔を形成するスペーサ部材であり、上記複数の弾性連結部材のうちの他の一部は、上記外側基板に対する上記内側基板の上方への弾性的な移動を許容しつつ上記外側基板に対して上記内側基板を下方へ復元させる力を高めるための下方復元部材であることを特徴とする裾はみ出し防止具。
【請求項３】
請求項２において、上記下方復元部材は、上記内側基板との固定部を上記外側基板との固定部よりも上方に形成してなることを特徴とする裾はみ出し防止具。
【請求項４】
請求項２又は３において、上記スペーサ部材は、水平方向の３箇所に配設され、上記下方復元部材は、中央の上記スペーサ部材とその両側の上記スペーサ部との間にそれぞれ１個ずつ形成されていることを特徴とする裾はみ出し防止具。
【請求項５】
請求項１〜４において、上記内側基板の上端縁は、上記外側基板の上端縁よりも下方に位置していることを特徴とする裾はみ出し防止具。
【請求項６】
請求項１〜５において、上記外側基板及び上記内側基板は、柔軟性を有することを特徴とする裾はみ出し防止具。
【請求項７】
請求項１〜６において、上記内側基板は、水平断面において外側に凸となるように湾曲していることを特徴とする裾はみ出し防止具。
【請求項８】
請求項１〜７において、上記外側基板は、上記下衣の上端部に係止するための係止部を有することを特徴とする裾はみ出し防止具。
【発明の詳細な説明】
【技術分野】
【０００１】
本発明は、被着者の腰部において下衣と上衣との間に介在させ、上記上衣の裾が上記下衣の腰裏からはみ出ることを防止するための裾はみ出し防止具に関する。
【背景技術】
【０００２】
ワイシャツやブラウス等の上衣の裾をスラックスやスカート等の下衣の内側へ入れた状態で、上衣と下衣を着用している被着者が、背伸びをしたりお辞儀をしたりするなどの動作を行ったとき、上衣の裾が下衣の腰裏からはみ出てしまうことがある。このような着衣の乱れを防ぐために、例えば、特許文献１に開示されているような滑止め片が提案されている。
この滑止め片は、下衣の腰裏に装着され、上衣との間の摩擦抵抗によって、上衣の裾が下衣の腰裏から上方へずれることを防止するよう構成してある。
【先行技術文献】
【特許文献】
【０００３】
【特許文献１】特開平６−３４１００２号公報
【発明の概要】
【発明が解決しようとする課題】
【０００４】
しかしながら、上記滑止め片は、下衣に固定された状態で摩擦抵抗によって上衣が上方へずれることを防止しているため、上衣の遊びよりも被着者の動作が大きいと、その動作に伴い上衣が突っ張ってしまう。それゆえ、被着者の円滑な動作を阻害することとなり、着心地が悪くなる。
【０００５】
また、摩擦抵抗を上回る力で上衣が上方へ引き上げられたときには、上衣の裾が滑止め片から上方へずれることとなる。このとき、裾が完全に腰裏からはみ出ないまでも、一旦上衣の裾がずれると元には戻らないため、これを被着者自身等が直さない限り、下衣の腰裏からはみ出た部分において上衣の裾がだぶついた状態が維持されてしまう。特に、滑り止め片が装着された状態では、一旦上衣の裾がずれると、却って直しにくい。
【０００６】
本発明は、かかる問題点に鑑みてなされたものであり、被着者の円滑な動作を阻害せず、上衣の裾が下衣の腰裏からずれることを効果的に防止することができる裾はみ出し防止具を提供しようとするものである。
【課題を解決するための手段】
【０００７】
本発明は、被着者の腰部において下衣と上衣との間に介在させ、上記上衣の裾が上記下衣の腰裏からはみ出ることを防止するための裾はみ出し防止具であって、
上記下衣の腰裏に圧接される外側基板と、
上記上衣の裾に圧接される内側基板と、
上記外側基板の内側面と上記内側基板の外側面との間に介在し、上記外側基板と上記内側基板とを互いに弾性的に連結する弾性連結部材とを有し、
上記外側基板の外側面には、上記外側基板と上記下衣とが滑らないようにする外側滑り止め構造が設けられ、
上記内側基板の内側面には、上記内側基板と上記上衣とが滑らないようにする内側滑り止め構造が設けられ、
上記内側基板が上記外側基板に対して少なくとも上方へ弾性的に移動することができるよう構成されていることを特徴とする裾はみ出し防止具にある（請求項１）。
【発明の効果】
【０００８】
上記裾はみ出し防止具は、上記外側基板の外側面に上記外側滑り止め構造を設け、上記内側基板の内側面に上記内側滑り止め構造を設けてなる。そのため、上記裾はみ出し防止具を被着者の腰部に装着したとき、上記下衣の腰裏に圧接される外側基板は、下衣の腰裏に摩擦抵抗によって固定され、上記上衣の裾に圧接される内側基板は、上衣の裾に摩擦抵抗によって固定される。そして、外側基板と内側基板とは、上記弾性連結部材によって互いに弾性的に連結され、内側基板は外側基板に対して上方へ弾性的に移動することができるよう構成されている。それゆえ、上記裾はみ出し防止具を装着した状態において、上衣の裾は、下衣の腰裏に対して、上方へ弾性的に移動することが許容されることとなる。すなわち、被着者が例えば背伸びをしたりお辞儀をしたりするなどの動作をすることで、上衣の裾が上方へ引き上げられる際に、上衣の裾の移動を許容する。それゆえ、被着者の動作に伴う上衣の上昇量が上衣の遊びよりも大きくても、その動作に伴い上衣が突っ張ってしまうことがない。したがって、被着者の円滑な動作を阻害することがなく、着心地が悪くなることがない。
【０００９】
また、上記のように、被着者の動作に伴い上衣の裾が上方へ引き上げられる際に、上衣の裾の上昇に追従して、上衣に摩擦抵抗によって固定された内側基板が、下衣に摩擦抵抗によって固定された外側基板に対して、弾性的に上昇する。すなわち、上記弾性連結部材が弾性変形することによって、所定の下方への復元力が作用した状態で、内側基板が外側基板に対して上昇する。それゆえ、被着者が元の姿勢に戻ると、それに応じて、上衣の裾は、上記復元力によって下方へ戻され、下衣の腰裏との相対的位置関係が元に戻ることとなる。これによって、下衣の外において上衣の裾がだぶつくことがない。すなわち、上衣の裾が下衣の腰裏からずれることを効果的に防止することができる。
【００１０】
以上のごとく、本発明によれば、被着者の円滑な動作を阻害せず、上衣の裾が下衣の腰裏からずれることを効果的に防止することができる裾はみ出し防止具を提供することができる。
【図面の簡単な説明】
【００１１】
【図１】実施例における、裾はみ出し防止具の上面図。
【図２】実施例における、裾はみ出し防止具の斜視図。
【図３】実施例における、内側から見た裾はみ出し防止具の正面図。
【図４】実施例における、外側から見た裾はみ出し防止具の背面図。
【図５】図１のＡ−Ａ線矢視断面図。
【図６】図１のＢ−Ｂ線矢視断面図。
【図７】実施例における、内側基板が上昇した状態を示す、図１のＡ−Ａ線矢視断面相当図。
【図８】実施例における、内側基板が上昇した状態を示す、図１のＢ−Ｂ線矢視断面相当図。
【図９】実施例における、裾はみ出し防止具の装着状態を示す断面説明図。
【図１０】実施例における、裾はみ出し防止具の装着状態であって、上衣が引き上げられた際の様子を示す断面説明図。
【発明を実施するための形態】
【００１２】
上記下衣としては、例えば、スラックス、スカート等がある。また、上記上衣としては、例えば、ワイシャツ、ブラウス等がある。上記弾性連結部材は、例えば、ゴム製、樹脂製とすることができる。また、上記外側滑り止め構造及び上記内側滑り止め構造も、ゴム又は樹脂によって構成することができる。
【００１３】
また、上記弾性連結部材は複数設けてあり、該複数の弾性連結部材のうちの一部は、上記外側基板と上記内側基板との間隔を形成するスペーサ部材であり、上記複数の弾性連結部材のうちの他の一部は、上記外側基板に対する上記内側基板の上方への弾性的な移動を許容しつつ上記外側基板に対して上記内側基板を下方へ復元させる力を高めるための下方復元部材であることが好ましい（請求項２）。
【００１４】
この場合には、上記スペーサ部材によって、外側基板を下衣の腰裏に圧接すると共に内側基板を上衣の裾に圧接し、上記下方復元部材によって、上衣の裾を下衣の腰裏へ引き戻すことができるため、上衣の裾のずれを効果的に防ぐことができる。すなわち、上記裾はみ出し防止具を被着者の腰部に装着した際、弾性連結部材である上記スペーサ部材は、内側基板と外側基板との間において押し潰されるように弾性変形する。これにより、スペーサ部材が内側基板と外側基板とを互いに反対側へ押す方向へ復元力が働くため、外側基板を下衣の腰裏に圧接すると共に内側基板を上衣の裾に圧接することができる。そして、上衣の裾が上方へ引き上げられて、内側基板が外側基板に対して上方へ弾性的に移動したとき、上記下方復元部材が弾性変形することで、内側基板を下方へ引き戻すように復元力が作用する。これにより、上衣の裾を下衣の腰裏へ引き戻すことができる。
【００１５】
また、上記下方復元部材は、上記内側基板との固定部を上記外側基板との固定部よりも上方に形成してなることが好ましい（請求項３）。この場合には、上記内側基板が上記外側基板に対して上方へ移動したとき、すなわち、上衣の裾が上方へ引き上げられたとき、上記下方復元部材は引き伸ばされることとなる。それゆえ、このとき、上記下方復元部材が縮む方向へ復元力が作用することとなり、内側基板を下方へ引き戻す力が円滑に作用し、上衣の裾を下衣の腰裏へ引き戻すことができる。
【００１６】
また、上記スペーサ部材は、水平方向の３箇所に配設され、上記下方復元部材は、中央の上記スペーサ部材とその両側の上記スペーサ部との間にそれぞれ１個ずつ形成されていることが好ましい（請求項４）。この場合には、上述した上記スペーサ部材の機能と上記下方復元部材の機能とを、バランスよく発揮させることができる。
【００１７】
また、上記内側基板の上端縁は、上記外側基板の上端縁よりも下方に位置していることが好ましい（請求項５）。この場合には、上衣が引き上げられたとき、これに追従して上昇した内側基板が、下衣の腰裏から露出することを抑制することができる。すなわち、上記裾はみ出し防止具を下衣の腰裏に、外側基板の上端縁がはみ出ないように装着しても、お辞儀をしたり背伸びをしたりして、上衣の裾が引き上げられ、内側基板が上昇したとき、該内側基板の上端縁が、下衣の腰裏から露出することが考えられる。そこで、少なくとも、上記弾性連結部材が自由状態（弾性変形していない状態）にあるとき、内側基板の上端縁を外側基板の上端縁よりも下方に位置させておくことにより、内側基板が上昇しても、その上端縁が下衣から露出することを抑制することができる。
【００１８】
また、上記外側基板及び上記内側基板は、柔軟性を有することが好ましい（請求項６）。この場合には、上記外側基板及び上記内側基板がそれぞれ下衣及び上衣に追従しやすくなり、上記裾はみ出し防止具の機能を一層効果的に発揮することができ、また、該裾はみ出し防止具の装着による違和感を低減することができる。
【００１９】
また、上記内側基板は、水平断面において外側に凸となるように湾曲していることが好ましい（請求項７）。この場合には、上記内側基板が上記上衣を介して被着者の腰部に沿って押圧されやすくなるため、上記裾はみ出し防止具の機能を一層効果的に発揮することができ、また、被着者の違和感を低減することができる。
【００２０】
また、上記外側基板は、上記下衣の上端部に係止するための係止部を有することが好ましい（請求項８）。この場合には、上記裾はみ出し防止具の位置ずれを防ぐとともに、適切な位置に上記裾はみ出し防止具を装着しやすくなる。
【実施例】
【００２１】
本発明の実施例に係る裾はみ出し防止具につき、図１〜図１０を用いて説明する。
本例の裾はみ出し防止具１は、図９、図１０に示すごとく、被着者の腰部Ｗにおいて下衣５と上衣６との間に介在させ、上衣６の裾６１が下衣５の腰裏５１からはみ出ることを防止するための物品である。
【００２２】
図１〜図６に示すごとく、裾はみ出し防止具１は、下衣５の腰裏５１に圧接される外側基板２と、上衣６の裾６１に圧接される内側基板３と、外側基板２と内側基板３とを互いに弾性的に連結する弾性連結部材４とを有する。
図４に示すごとく、外側基板２の外側面には、外側基板２と下衣５とが滑らないようにする外側滑り止め構造２１が設けられている。
図３に示すごとく、内側基板３の内側面には、内側基板３と上衣６とが滑らないようにする内側滑り止め構造３１が設けられている。
そして、図５〜図８に示すごとく、裾はみ出し防止具１は、内側基板３が外側基板２に対して少なくとも上方へ弾性的に移動することができるよう構成されている。
【００２３】
図１に示すごとく、弾性連結部材４は複数設けてある。そして、該複数の弾性連結部材４のうちの一部は、外側基板２と内側基板３との間隔を形成するスペーサ部材４１である。また、複数の弾性連結部材４のうちの他の一部は、外側基板２に対する内側基板３の上方への弾性的な移動を許容しつつ外側基板２に対して内側基板３を下方へ復元させる力を高めるための下方復元部材４２である。
スペーサ部材４１は、水平方向の３箇所に配設され、下方復元部材４２は、中央のスペーサ部材４１とその両側のスペーサ部４１との間にそれぞれ１個ずつ形成されている。
【００２４】
下方復元部材４２は、図６に示すごとく、内側基板３との固定部４２３を外側基板２との固定部４２２よりも上方に形成してなる。具体的には、下方復元部材４２の内側基板３との固定部４２３は内側基板３の上端部に設けられ、下方復元部材４２の外側基板２との固定部４２２は外側基板２の下端部に設けられている。
【００２５】
図３、図５、図６に示すごとく、内側基板３の上端縁３２は、外側基板２の上端縁２２よりも下方に位置している。特に、内側基板３の上端縁３２と外側基板２の上端縁２２の高さ位置の差は、図７、図８に示すごとく、弾性連結部材４が弾性変形して内側基板３が外側基板２に対して最も上昇するときの上昇量よりも大きいことが好ましい。
【００２６】
外側基板２及び内側基板３は、柔軟性を有する。外側基板２及び内側基板３は、例えば、ＰＥＴ（ポリエチレンテレフタレート）等の樹脂板によって構成されており、その厚みは、例えば１ｍｍ以下である。
内側基板３は、図１に示すごとく、水平断面において外側に凸となるように湾曲している。
【００２７】
また、弾性連結部材４の一種であるスペーサ部材４１は、例えば、ポリウレタン等の樹脂からなる。スペーサ部材４１は、外側基板２と内側基板３とに対して、略垂直に立設するように接着されている。そして、外側基板２と内側基板３との間における水平方向の中央に配されたスペーサ部材４１は、その両側に配されたスペーサ部材４１よりも立設方向の長さが短い。これにより、内側基板３は、外側基板２に向かって凸となるような湾曲形状を構成している。
【００２８】
また、弾性連結部材４の他の一種である下方復元部材４２は、例えば、天然ゴムによって構成することができる。下方復元部材４２は、帯状に形成されており、その一端が外側基板２の下端部と接着された固定部４２２を構成し、他端が内側基板３の上端部と接着された固定部４３２を構成している。
【００２９】
また、図３、図４に示すごとく、内側基板３の内側面及び外側基板２の外側面にそれぞれ設けた内側滑り止め構造３１及び外側滑り止め構造２１は、例えばポリウレタン等の樹脂からなる樹脂パッド３１１、２１１によって構成されている。該樹脂パッド３１１、２１１は、内側基板３の内側面及び外側基板２の外側面に、それぞれ複数個、接着されている。
【００３０】
また、外側基板２は、下衣５の上端部５２に係止するための係止部２３を有する。すなわち、図４、図５に示すごとく、外側基板２の外側面の上端部には、フック状の係止部２３が固定されている。そして、図９、図１０に示すごとく、係止部２３を下衣５の上端部５２に係止することにより、裾はみ出し防止具１を被着者の腰部Ｗにおける所定の位置に取り付けることができる。なお、係止部２３は、下衣２３の外側へ露出することとなるが、その外側に配置されるベルト５３と下衣５との間に挿入することによって、外見上目立つことがない。
【００３１】
なお、裾はみ出し防止具１は、複数個のセットで用いてもよいし、１個のみで用いてもよい。具体的には、例えば、被着者の左右両脇に１個ずつ裾はみ出し防止具１を装着してもよいし、背中に裾はみ出し防止具１を１個装着してもよい。
【００３２】
次に、本例の作用効果につき説明する。
上記裾はみ出し防止具１は、外側基板２の外側面に外側滑り止め構造２１を設け、内側基板３の内側面に内側滑り止め構造３１を設けてなる。そのため、図９、図１０に示すごとく、裾はみ出し防止具１を被着者の腰部Ｗに装着したとき、下衣５の腰裏５１に圧接される外側基板２は、下衣５の腰裏５１に摩擦抵抗によって固定され、上衣６の裾６１に圧接される内側基板３は、上衣６の裾６１に摩擦抵抗によって固定される。
【００３３】
そして、外側基板２と内側基板３とは、弾性連結部材４によって互いに弾性的に連結され、内側基板３は外側基板２に対して上方へ弾性的に移動することができるよう構成されている。それゆえ、裾はみ出し防止具１を装着した状態において、上衣６の裾６１は、下衣５の腰裏５１に対して、上方へ弾性的に移動することが許容されることとなる。すなわち、被着者が例えば背伸びをしたりお辞儀をしたりするなどの動作をすることで、上衣６の裾６１が上方へ引き上げられる際に、図１０に示すごとく、上衣６の裾６１の移動を許容する。それゆえ、被着者の動作に伴う上衣６の上昇量が上衣６の遊びよりも大きくても、その動作に伴い上衣６が突っ張ってしまうことがない。したがって、被着者の円滑な動作を阻害することがなく、着心地が悪くなることがない。
【００３４】
また、上記のように、被着者の動作に伴い上衣６の裾６１が上方へ引き上げられる際に、上衣６の裾６１の上昇に追従して、上衣６に摩擦抵抗によって固定された内側基板３が、下衣５に摩擦抵抗によって固定された外側基板２に対して、弾性的に上昇する。すなわち、弾性連結部材４が弾性変形することによって、所定の下方への復元力が作用した状態で、内側基板３が外側基板２に対して上昇する。それゆえ、図９に示すごとく、被着者が元の姿勢に戻ると、それに応じて、上衣６の裾６１は、上記復元力によって下方へ戻され、下衣の腰裏との相対的位置関係が元に戻ることとなる。これによって、下衣５の外において上衣６の裾６１がだぶつくことがない。すなわち、上衣６の裾６１が下衣５の腰裏５１からずれることを効果的に防止することができる。
【００３５】
また、複数の弾性連結部材４のうちの一部はスペーサ部材４１であり、他の一部は下方復元部材４２である。これにより、スペーサ部材４１によって、外側基板２を下衣５の腰裏５１に圧接すると共に内側基板３を上衣６の裾６１に圧接し、下方復元部材４２によって、上衣６の裾６１を下衣５の腰裏５１へ引き戻すことができるため、上衣６の裾６１のずれを効果的に防ぐことができる。すなわち、裾はみ出し防止具１を被着者の腰部Ｗに装着した際、弾性連結部材４であるスペーサ部材４１は、内側基板３と外側基板２との間において押し潰されるように弾性変形する。これにより、スペーサ部材４１が内側基板３と外側基板２とを互いに反対側へ押す方向へ復元力が働くため、外側基板２を下衣５の腰裏５１に圧接すると共に内側基板３を上衣６の裾６１に圧接することができる。そして、上衣６の裾６１が上方へ引き上げられて、内側基板３が外側基板２に対して上方へ弾性的に移動したとき、下方復元部材４２が弾性変形することで、内側基板３を下方へ引き戻すように復元力が作用する。これにより、上衣６の裾６１を下衣５の腰裏５１へ引き戻すことができる。
【００３６】
また、下方復元部材４２は、内側基板３との固定部４２３を外側基板２との固定部４２２よりも上方に形成してなる。そのため、内側基板３が外側基板２に対して上方へ移動したとき、すなわち、上衣６の裾６１が上方へ引き上げられたとき、図８に示すごとく、下方復元部材４２は引き伸ばされることとなる。それゆえ、このとき、下方復元部材４２が縮む方向へ復元力が作用することとなり、内側基板３を下方へ引き戻す力が円滑に作用し、上衣６の裾６１を下衣５の腰裏５１へ引き戻すことができる。
【００３７】
また、スペーサ部材４１は、水平方向の３箇所に配設され、下方復元部材６は、中央のスペーサ部材４１とその両側のスペーサ部４１との間にそれぞれ１個ずつ形成されている。これにより、上述したスペーサ部材４１の機能と下方復元部材４２の機能とを、バランスよく発揮させることができる。
【００３８】
また、内側基板３の上端縁３２は、外側基板２の上端縁２２よりも下方に位置している。そのため、図１０に示すごとく、上衣６が引き上げられたとき、これに追従して上昇した内側基板３が、下衣５の腰裏５１から露出することを抑制することができる。すなわち、裾はみ出し防止具１を下衣５の腰裏５１に、外側基板３の上端縁３２がはみ出ないように装着しても、お辞儀をしたり背伸びをしたりして、上衣６の裾６１が引き上げられ、内側基板３が上昇したとき、該内側基板３の上端縁３２が、下衣５の腰裏５１から露出することが考えられる。そこで、少なくとも、弾性連結部材４が自由状態（弾性変形していない状態）にあるとき、内側基板３の上端縁３２を外側基板２の上端縁２２よりも下方に位置させておくことにより、内側基板３が上昇しても、その上端縁３２が下衣５から露出することを抑制することができる。
【００３９】
また、外側基板２及び内側基板３は、柔軟性を有するため、外側基板２及び内側基板３がそれぞれ下衣５及び上衣６に追従しやすくなり、裾はみ出し防止具１の機能を一層効果的に発揮することができ、また、該裾はみ出し防止具１の装着による違和感を低減することができる。
【００４０】
また、内側基板３は、水平断面において外側に凸となるように湾曲している。これにより、内側基板３が上衣６を介して被着者の腰部Ｗに沿って押圧されやすくなるため、裾はみ出し防止具１の機能を一層効果的に発揮することができ、また、被着者の違和感を低減することができる。
また、外側基板２は係止部２３を有するため、裾はみ出し防止具１の位置ずれを防ぐとともに、適切な位置に裾はみ出し防止具１を装着しやすくなる。
【００４１】
以上のごとく、本例によれば、被着者の円滑な動作を阻害せず、上衣の裾が下衣の腰裏からずれることを効果的に防止することができる裾はみ出し防止具を提供することができる。
【符号の説明】
【００４２】
１  裾はみ出し防止具
２  外側基板
２１  外側滑り止め構造
３  内側基板
３１  内側滑り止め構造
４  弾性連結部材
【要約】
【課題】被着者の円滑な動作を阻害せず、上衣の裾が下衣の腰裏からずれることを効果的に防止することができる裾はみ出し防止具を提供すること。
【解決手段】被着者の腰部において下衣と上衣との間に介在させ、上衣の裾が下衣の腰裏からはみ出ることを防止するための裾はみ出し防止具１。裾はみ出し防止具１は、下衣の腰裏に圧接される外側基板２と、上衣の裾に圧接される内側基板３と、外側基板２と内側基板３とを互いに弾性的に連結する弾性連結部材４とを有する。外側基板２の外側面には、外側基板２と下衣とが滑らないようにする外側滑り止め構造２１が設けられている。内側基板３の内側面には、内側基板３と上衣とが滑らないようにする内側滑り止め構造３１が設けられている。内側基板３が外側基板２に対して少なくとも上方へ弾性的に移動することができるよう構成されている。
【選択図】図１【図１】
0004838380.tif 000002
【図２】
0004838380.tif 000003
【図３】
0004838380.tif 000004
【図４】
0004838380.tif 000005
【図５】
0004838380.tif 000006
【図６】
0004838380.tif 000007
【図７】
0004838380.tif 000008
【図８】
0004838380.tif 000009
【図９】
0004838380.tif 000010
【図１０】
0004838380.tif 000011